(57)【要約】【課題】練習において、ボールをよく見る習慣とボールの動きを正確に把握する能力とがつく球技用ボールを提供する。【解決手段】球技用ボールは、表面の色彩を、黒色等球技者の視覚においてボールが認識しにくい色彩とした。【選択図】図１
0003178734.tif 000002
【実用新案登録請求の範囲】
【請求項１】
表面が視認性の低い色彩であることを特徴とする球技用ボール。
【請求項２】
前記視認性の低い色彩は、暗黒色であることを特徴とする請求項１に記載の球技用ボール。
【請求項３】
前記球技用ボールは、表面の色彩を除き、規格に従って形成されたボールであることを特徴とする請求項１又は２に記載の球技用ボール。
【請求項４】
前記球技用ボールは、ソフトテニスボールであることを特徴とする請求項１〜３のいずれか１項に記載の球技用ボール。
【考案の詳細な説明】
【技術分野】
【０００１】
本考案は、黒色等、球技者が視覚で認識しにくい色彩を備えた球技用ボールに関する。
【背景技術】
【０００２】
一般に、球技用のボールは、白など明るい色彩が施されていることが多い。これは、ボールの色彩が明るい色の場合には、球技者が視覚でボールの位置や動きを認識し易く、球技が行いやすいためである。
【０００３】
又、ボールの色彩を、コートや壁等の色に対して補色関係にある色彩とし、周囲に対して目立たせ、球技中にボールがコートや壁に同化して、ボールの動きを見逃すことがないようにすることも知られている。
【０００４】
更に、球技者は、ボールから目を離さず、ボールの動きをよく見ることが、球技を上達させる上において重要とされている。従来、球技者がボールに対して視覚的な集中力を高めるために、ボールの表面に文字を記載した考案が知られている。
【先行技術文献】
【特許文献】
【０００５】
【特許文献１】実開平５−２９５６７号公報
【考案の概要】
【考案が解決しようとする課題】
【０００６】
しかしながら、従来は、球技の練習においても、試合に用いると同様の、視覚で認識しやすい明るい色彩のボールを用いていた。そのため、球技者は、練習においても、試合においても、どちらにおいても認識し易いボールを用いており、ボールの違いによって、練習中にボールをよく見る習慣をつけるということはできなかった。
【０００７】
又、野球のように、打者が基本的に移動しないでボールを打つ球技では、打者がボール表面に記載した文字を読み取ることが可能であっても、テニスのように、球技者が瞬時にボールの落下点に移動して打ち返す球技では、移動中に、飛んでくるボールに記載された文字を読み取ることは困難と考えられる。
【０００８】
本考案は、上記課題を解決し、通常の練習において、球技者に、ボールをよく見る習慣とボールの動きを正確に把握する能力とがつく球技用ボールを提供することを目的とする。
【課題を解決するための手段】
【０００９】
上記の課題を解決するために、本考案にかかる球技用ボールは、球技用ボールの表面が、球技者が球技を行うにあたり、視覚で認識しにくい色彩であることとした。
【考案の効果】
【００１０】
本考案にかかる球技用ボールは、球技中に球技者が視覚で認識しにくい色彩を有しているため、球技者は、意識的にボールをよく見るようになり、常にボールをよく見る習慣がつく。又、ボールは、視覚で認識しにくいので、ボールのわずかな動きから球技者は、ボールの動きを把握するようになり、ボールの動きを把握する能力が向上する。
【００１１】
球技者は、視覚で認識しにくいボールで練習を行い、そして通常の認識しやすいボールで試合を行った場合、ボールが見やすく感じられるので試合において有利となる。
【図面の簡単な説明】
【００１２】
【図１】本考案にかかる一実施形態のテニスボールを示す正面図。
【図２】同テニスボールを示す背面図。
【考案を実施するための形態】
【００１３】
本考案にかかる一実施形態の球技用ボールについて、図を用いて説明する。図１は、球技用ボールとしてのボール１０を示す正面図であり、図２は、ボール１０を示す背面図である。図１及び図２に示すボール１０は、ソフトテニス用のボールであり、表面に黒色の色彩を有している。ボール１０の黒色は、球技者の視覚によって認識がしにくい、すなわち、視認性の低い色彩である。ボール１０は、規格に適合した外形であり、その反発力や重さ等も規格に準拠した値を有している。
【００１４】
ボール１０の黒色は、ボール１０を構成する素材に着色することにより形成しても、あるいは、ボール１０の表面に着色剤を塗布することにより形成してもよい。ボール１０の表面には艶があまりない方が、表面で反射光が生じにくいことから好ましい。
【００１５】
次に、ボール１０の作用、効果について説明する。ボール１０を用いて、テニスの練習を行う例について説明する。例えばサーブを行うとき、ボール１０の色彩が黒色でも、打ち込むには、あまり影響はないと思われる。一方、ボール１０を受ける側の球技者は、ボール１０の表面が黒色であるため、視覚によってボール１０の認識がしづらい。
【００１６】
そのため、ボール１０を受ける球技者は、ボール１０の動きを見失わないように、ボール１０をよく見ようとする。又、ボール１０は、球技者にとって視認性が低いため、飛んでくるボール１０の軌跡を把握することが難しい。そのため、球技者は、ボール１０のわずかな軌跡からボール１０の軌跡全体を推測する能力が高められる。
【００１７】
したがって、球技者は、ボール１０を見ることに常に集中する習慣がつく。又、球技者は、ボール落下点や、落下したボール１０が跳ね返ってくる跳ね返りの位置を正確に、かつ素早く推測する能力が高められる。
【００１８】
この点はラリーにおいても同様で、自分に向かって飛んでくるボール１０は、視認性が低いため、球技者は、練習中においても常にボール１０を見ることに集中する。このことから、球技者は、練習中にボール１０から目を離さず、ボール１０をよく見る習慣がつく。又、ボール１０の動きを素早く的確に把握する能力を身につけることができる。
【００１９】
このように、黒色のボール１０で練習を行うことにより、球技者は、例えば白い色彩の、いわゆる視認性の高いボール１０を用いて球技を行った場合に、黒いボール１０で培われた技術で、ボールの落下点に素早く移動でき、その後正確なフォームで白色のボールを打ち返すことができるようになる。
【００２０】
以上説明したように、本考案の球技用ボールによれば、球技者は、球技中にボール１０をよく見る習慣が身につく。球技者は、ボール１０の動きを正確に読み取る能力が向上する。球技者は、ボール１０のわずかな動きを見ただけで、ボール１０の落下点や跳ね返りの位置を推測する能力が向上する。
【００２１】
尚、本考案のかかるボールは、ソフトテニス用に限るものではなく、硬式テニス用、他の球技に用いられるボールでもよい。又、ボールの色彩は、球技中に視覚によって認識しにくい色彩であれば、暗黒色にかぎるものではなく、例えば灰色や他の色彩でよい。又、コートの色彩やコートの周囲の壁の色彩との関連において、球技者がボールを視覚で認識しにくい色彩であってもよい。例えば、ボールの色彩が、コートや壁の色彩と同一の色彩であったり、同系の色彩として、コートや壁とボールとが明確に区別できず、球技者が視覚により認識しにくい色彩であればよい。
【００２２】
更に、本考案のボールは、練習用としてボールの外径を規格より小さくして、より視覚によって認識しにくい形状としてもよい。
【産業上の利用可能性】
【００２３】
本考案は、球技の練習において使用される球技用ボールに用いることができる。
【符号の説明】
【００２４】
１０…ボール。
【図１】
0003178734.tif 000003
【図２】
0003178734.tif 000004